(57)【要約】【課題】  軽量で且つ転倒しにくいポータブルトイレを提供する。【解決手段】  ポータブルトイレ１はトイレ本体３よりも床面への投影面積が大きなベースプレート２を備え、このベースプレート２に前記トイレ本体３の脚部４が着脱自在に連結される脚部固定部５と、手摺１１を固定する手摺固定部１２が設けられている。【選択図】  図１
2008092972.tif 000002
【特許請求の範囲】
【請求項１】
任意の箇所に移設可能とされたポータブルトイレにおいて、床面に載置されるベースプレートと、該ベースプレートの上面に固定されるトイレ本体とを備え、前記ベースプレートは平面視において前記トイレ本体よりも大きな外形を有し、且つ前記ベースプレート上には前記トイレ本体の脚部を着脱自在に固定する脚部固定部が設けられていることを特徴とするポータブルトイレ。
【請求項２】
請求項１に記載のポータブルトイレにおいて、前記ベースプレートには前記トイレ本体とは別体の手摺を固定する手摺固定部が設けられていることを特徴とするポータブルトイレ。
【請求項３】
請求項１に記載のポータブルトイレにおいて、前記トイレ本体の脚部を固定する脚部固定部は、前記トイレ本体の位置または向きを変えた場合でも固定可能に構成されていることを特徴とするポータブルトイレ。
【請求項４】
請求項２に記載のポータブルトイレにおいて、前記手摺固定部は形状の異なる手摺が固定可能に構成されていることを特徴とするポータブルトイレ。
【請求項５】
請求項１乃至請求項４のいずれかに記載のポータブルトイレにおいて、前記ベースプレートは当該ポータブルトイレがその脇に設置されるベッドに対する連結部を備えることを特徴とするポータブルトイレ。
【発明の詳細な説明】
【技術分野】
【０００１】
本発明は任意の箇所に移設可能とされたポータブルトイレに関する。
【背景技術】
【０００２】
固定トイレまで歩行するのが困難な高齢者や身障者のために、ベッドの脇などに設置可能なポータブルトイレが特許文献１に提案されている。
特許文献１に提案されているポータブルトイレは椅子形状のもので、移乗や離れる際に使用者が掴まる手摺（アームレスト）を設け、さらに安定させるため脚支柱の下端を前記手摺と同程度の長さの接地体を取り付けている。
【０００３】
【特許文献１】特開２００５−１５２２７６号公報
【発明の開示】
【発明が解決しようとする課題】
【０００４】
特許文献１に開示されるポータブルトイレにあっては、脚支柱の下端に取り付けられている左右の接地体の間隔がポータブルトイレの幅と略等しいため、一般的な椅子と同程度の安定性しか得られない。
【０００５】
このため、高齢者や身障者がポータブルトイレに移乗したり或いはポータブルトイレから離れる際に手摺に体重をかけると、それが偏心荷重となって設地体が床面から浮き上がり、転倒するおそれがある。この問題を解消するためにポータブルトイレ自体の重量を大きくすることも考えられるが、それでは移設可能というポータブルトイレの利点が大きく損なわれる。
【課題を解決するための手段】
【０００６】
上記の課題を解決するため、請求項１に記載の発明では、任意の箇所に移設可能とされたポータブルトイレにおいて、床面に載置されるベースプレートと、該ベースプレートの上面に固定されるトイレ本体とを備え、前記ベースプレートは平面視において前記トイレ本体よりも大きな外形を有し、且つ前記ベースプレート上には前記トイレ本体の脚部を着脱自在に固定する脚部固定部が設けられた構成とした。
【０００７】
上記構成とすることで、使用者がトイレ本体への移乗或いはトイレ本体から離れる際にトイレ本体に体重をかけても、トイレ本体は床面に載置されるベースプレートに固定され、ベースプレート上の使用者の体重が重しとなるため、重量を増加させることなくトイレ本体の転倒防止を図ることができる。また、ベースプレートは平面視においてトイレ本体より大きな外形を有するため、トイレ本体に偏心荷重が加えられた際にも、ベースプレートがそのトイレ本体より外方の部分でこの荷重に抗する反力を床面から受けるため、トイレ本体はさらに安定する。さらに、トイレ本体はベースプレートと着脱自在であり、移設についての制約もない。
【０００８】
請求項２に記載の発明では、前記ベースプレートを、前記トイレ本体とは別体の手摺を固定する手摺固定部が設けられた構成とした。このように別途手摺を設けることで、使用者がトイレ本体への移乗或いはトイレ本体から離れる際に手摺に体重を掛けるため、さらにトイレ本体の転倒防止を図ることができる。
【０００９】
請求項３に記載の発明では、前記トイレ本体の脚部を固定する脚部固定部は、前記トイレ本体の位置または向きを変えた場合でも固定可能に構成されている。トイレ本体の適切な向きや位置は、設置される環境や使用者の好みにより大きく異なる。本発明により、最適な使用形態を選択できる。
【００１０】
請求項４に記載の発明では、前記手摺固定部は形状の異なる手摺が固定可能に構成されている。これにより、ポータブルトイレの設置場所や使用者の体型などに合わせて適切な手摺形状を選択し、ベースプレートに固定して使用することができる。
【００１１】
請求項５に記載の発明では、前記ベースプレートは当該ポータブルトイレがその脇に設置されるベッドに対する連結部を備えた構成とした。これにより、使用者の体重のみならずベッドの重量も利用し、さらにトイレ本体の転倒防止を図ることができる。
【発明の効果】
【００１２】
本発明に係るポータブルトイレは、トイレ本体の転倒防止のため、トイレ本体自体の重量を大きくしたり特殊な脚を設ける必要がない。したがってトイレ本体を軽量に構成することが可能になり、ベースプレートとトイレ本体とが着脱自在であるため、ポータブルトイレの移設が容易になる。
【００１３】
更に、トイレ本体の固定位置や、手摺の形状や固定位置を選択可能とすることができるので、使用者の病状や障害の程度に応じた使い分けが可能で、ポータブルトイレとしての自由度が高い。
【発明を実施するための最良の形態】
【００１４】
以下に本発明を実施するための最良の形態を図面に基づいて詳細に説明する。図１は本発明に係るポータブルトイレをベッドに固定した状態を示す斜視図、図２はベッドとベースプレートとの連結状態を示す図、図３は本発明に係るポータブルトイレの斜視図で（ａ）は便蓋を閉じた状態、（ｂ）は便蓋を開けた状態を示し、図４はベースプレートの別実施例を示す斜視図である。
【００１５】
図１に示す使用態様では、本発明に係るポータブルトイレ１をベッド１３の柵１４に紐１５などの固定部材を用いて固定している。更に、図２に示すように、ベッド１３の脚１６とベースプレート２とを連結部材１７を用いて固定している。このようにすることで、トイレ本体に荷重をかけても、ベッドの重量も利用して転倒を防止することができる。
【００１６】
図３に示すように本発明に係るポータブルトイレ１はベースプレート２とトイレ本体３を備える。ベースプレート２は床面への投影面積がトイレ本体３よりも大きく設定されている。このベースプレート２は軽量化を図るため樹脂製が好ましいが、意匠性を考慮して木製あるいは強度を考慮して金属製としてもよい。
【００１７】
トイレ本体３は４本のパイプ状の脚部４を備え、これら脚部４をベースプレート２に設けたブーツ状固定部５に上方から挿入することで固定する。固定後に脚部４が外れるのを確実に防止するため抜止めピン６を脚部４と固定部５に差し込むことが好ましい。
【００１８】
前記トイレ本体３は着脱自在とされた汚物受け７とその上面に設けられる便座８と便座８の上に開閉自在に取付られる便蓋９とからなる。また、前記４本の脚部４のうち対向する２本の脚部についてはそのまま上方に伸ばし、トイレ本体３の外縁に沿った形状に屈曲せしめて背もたれ部１０としている。
【００１９】
この実施例では、トイレ本体３の二辺に沿って背もたれ部１０を設け、残りの二辺にについては開放している。このように二辺を開放することで、高齢者や身障者にとって、トイレ本体への移乗やトイレ本体から離れる動作が楽になる。
【００２０】
また、ベースプレート２には図４に示すように別の位置に脚部４を挿入する固定部５を設け、トイレ本体３の設置方向を任意に選定できるようにしもよい。このようにすることで、自由度が増す。
【００２１】
図４に示すように、ベースプレート２には手摺１１を固定するためのブーツ状固定部１２を設けており、この固定部１２を複数設けることで、任意の箇所に手摺１１を固定できるようにしている。尚、この実施例にあっては固定部５、１２そのものがベースプレート２の取付穴２ａ、２ｂに対して着脱自在となっている。
【００２２】
図５はポータブルトイレをベッドに連結した別実施例を示す側面図、図６は図５に示した実施例の平面図、図７は図５に示した実施例の手摺の取り付け構造を示す側面図である。
【００２３】
この実施例にあってはベースプレート２に多数の取付け用のボルト孔２０を形成し、このボルト孔２０に図７に示すようにワッシャ２１を介して高さ調整用延長足２２をボルト２３によって固定し、更に前記高さ調整用延長足２２の上面に設けたボルト２４にポータブルトイレ１の脚部４または手摺１１の下端に設けたボルト孔２５を螺着することで、ベースプレート２にポータブルトイレ１及び手摺１１を固定している。
【００２４】
またこの実施例にあっては、ポータブルトイレ１のトイレ本体３の下面には汚物用バケツ２６が交換可能に取り付けられ、背もたれ部等として機能するフレーム１０とベッドの柵１４との間を連結部材１７でつなぎポータブルトイレ１の安定化を図っている。
【００２５】
図８（ａ）は手摺の取り付け構造の別実施例を示す側面図、（ｂ）は同取り付け構造の平面図であり、この別実施例にあっては、ベースプレート２に多数の取付け用のボルト孔を形成せずに、ベースプレート２上面に平面視でコ字型をなすようにガイドプレート３０…を固着し、このガイドプレート３０とベースプレート２上面との間に形成される隙間に側方から取付けプレート３１を差し込んでいる。この取付けプレート３１上面にはボルト３２が固着されている。
【００２６】
前記取付けプレート３１のボルト３２に調整用延長足２２に形成したボルト孔を螺着し、更に前記高さ調整用延長足２２の上面に設けたボルト２４にポータブルトイレ１の脚部４または手摺１１の下端に設けたボルト孔２５を螺着することで、ベースプレート２にポータブルトイレ１及び手摺１１を固定する。
【００２７】
手摺１１としては図９に示すように、支柱部分１１ａに対し把持部１１ｂを回転可能とした回転パッド付きにしてもよい。
【００２８】
また、手摺１１としては図１０（ａ）〜（ｃ）に示すように形状の異なる手摺を複数用意するとともに、前述の手摺の固定部１２が、これら手摺に適合するよう構成されている。病状や形態に適合する形をした手摺を汎用型として用意し、必要な物をそれに取り付ければ良い。
【００２９】
図１１はベースプレートの別実施例を示す図６と同様の図であり、この実施例にあっては４枚のベースプレート１を敷き詰め、広く敷き詰めることで段差に躓くことが起こりにくくしている。
【００３０】
また、４枚のベースプレート２のうちのｌ枚のベースプレートにはレール３３をベッド１３と平行に設け、このレール３３にポータブルトイレ１を移動可能に取り付けている。この場合、連結部材１７はヒンジを介してポータブルトイレ１のフレーム１０に取り付けられ、移動に際してはベッドの柵１４から離すようにし、移動後に再び連結部材１７がベッドの柵１４に係合する構造にしている。
【００３１】
４枚のベースプレート２のうちの他のｌ枚のベースプレートには手摺１１を設け、別のベースプレートには手摺１１の他に収納棚３４を固定している。
【図面の簡単な説明】
【００３２】
【図１】本発明に係るベッドにポータブルトイレを固定した状態を示す斜視図
【図２】ベッドとベースプレートとの連結状態を示す図
【図３】本発明に係るポータブルトイレの斜視図で（ａ）は便蓋を閉じた状態、（ｂ）は便蓋を開けた状態を示す図
【図４】ベースプレートの別実施例を示す斜視図
【図５】ポータブルトイレをベッドに連結した別実施例を示す側面図
【図６】図５に示した実施例の平面図
【図７】図５に示した実施例の手摺の取り付け構造を示す側面図
【図８】（ａ）は手摺の取り付け構造の別実施例を示す側面図、（ｂ）は同取り付け構造の平面図
【図９】手摺の別実施例を示す側面図
【図１０】（ａ）〜（ｃ）は手摺の別実施例を示す平面図
【図１１】ベースプレートの別実施例を示す図６と同様の図
【符号の説明】
【００３３】
１…ポータブルトイレ、２…ベースプレート、２ａ、２ｂ…取付穴、３…トイレ本体、４…脚部、５…脚部用固定部、６…抜止めピン、７…汚物受け、８…便座、９…便蓋、１０…背もたれ部、１１…手摺、１１ａ…手摺の支柱、１１ｂ…手摺の把持部、１２…手摺用固定部、１３…ベッド、１４…ベッドの柵、１５…紐、１６…ベッドの脚、１７…連結部材、２０…取付け用のボルト孔、２１…ワッシャ、２２…高さ調整用延長足、２３，２４…ボルト、２５…ボルト孔、２６…汚物用バケツ、３０…ガイドプレート、３１…取付けプレート、３２…ボルト、３３…レール、３４…収納棚３４。
【図１】
2008092972.tif 000003
【図２】
2008092972.tif 000004
【図３】
2008092972.tif 000005
【図４】
2008092972.tif 000006
【図５】
2008092972.tif 000007
【図６】
2008092972.tif 000008
【図７】
2008092972.tif 000009
【図８】
2008092972.tif 000010
【図９】
2008092972.tif 000011
【図１０】
2008092972.tif 000012
【図１１】
2008092972.tif 000013